(57)【要約】      （修正有）【課題】車両の前方に見える光景の異なる領域を選択的に照らすことができるようにする装置の体積を減らす。【解決手段】自動車ヘッドライト用の照明モジュール２は、特に曲線に沿って連続的に配置される光源４と、円筒状のリフレクタ８と、リフレクタから生じる各光源からの光を受けるのに適するレンズ１０とを備える。リフレクタは、光源のうちの１つによって放射される光から光スポットを形成するように配置され、リフレクタは、円筒の母線に対して直角を成す平面内に、光源の寸法の比率に対して光スポットの寸法の比率を変更するように且つ光源の配光に対して光スポットにおける配光を変更するように構成される断面を有する。レンズは、少なくとも２つの焦点、更には１つの焦点域を有するとともに、これらの焦点のうちの１つに配置される物体の前記レンズにより形成される像が鮮明となるように配置される。【選択図】図１
2014096368.tif 000002
【特許請求の範囲】
【請求項１】
自動車ヘッドライト用の照明モジュール（２）であって、
特に曲線に沿って連続的に配置される光源（４）と、
円筒状のリフレクタ（８）と、
前記リフレクタから生じる前記各光源からの光を受けるのに適するレンズ（１０）と、
を備え、
前記リフレクタは、前記光源のうちの１つによって放射される光から光スポットを形成するように配置され、
前記リフレクタは、前記円筒の母線に対して直角を成す平面内に、前記光源の寸法の比率に対して前記光スポットの寸法の比率を変更するように且つ前記光源の配光に対して前記光スポットにおける配光を変更するように構成される断面を有し、
前記レンズは、少なくとも２つの焦点、更には１つの焦点域を有するとともに、これらの焦点のうちの１つに配置される物体の前記レンズにより形成される像が鮮明となるように配置される、ことを特徴とする照明モジュール（２）。
【請求項２】
前記リフレクタ（８）は、好ましくはたった１つの変曲点を有する湾曲断面を有する請求項１に記載のモジュール。
【請求項３】
前記レンズ（１０）は、該レンズによって供給される前記光源の全体像（２０）の鮮明さがこの像の少なくとも２つの所定の点で像の他の領域と比べて最大となるように配置される請求項１または請求項２に記載のモジュール。
【請求項４】
前記点が２つの前記光源の像の縁に位置され、これらの像が１つの同じ前記光源の像に直接に隣接し、これらの縁がその像と並んで位置される請求項３に記載のモジュール。
【請求項５】
前記点が２つの前記光源の像の縁に位置され、これらの像が互いに直接に隣接し、各像の縁が他の像と対向する側に位置される請求項３に記載のモジュール。
【請求項６】
前記レンズの面（１６）は波形を有する請求項１から５のいずれか一項に記載のモジュール。
【請求項７】
波形を有する前記レンズの面は、前記光源からの光のための出力面（１６）である請求項６に記載のモジュール。
【請求項８】
前記各光源（４）は、前記光源による光の放射の主方向に対して直角を成す平面内に正方形形状を有する請求項１から７のいずれか一項に記載のモジュール。
【請求項９】
前記光源（４）は、全ての前記光源を通る、特に前記各光源の縁のうちの１つを通る直線が存在するように配置される請求項１から８のいずれか一項に記載のモジュール。
【請求項１０】
前記光源（４）は、前記各光源の輪郭の頂点のうちの１つを通る曲線が存在するように配置される請求項１から９のいずれか一項に記載のモジュール。
【請求項１１】
前記光源（４）は、前記各光源の中心を通る曲線が存在するように配置される請求項１から１０のいずれか一項に記載のモジュール。
【請求項１２】
前記曲線が変曲点を有さない請求項１１に記載のモジュール。
【請求項１３】
前記光源（４）の輪郭が１つの同じ平面内に含まれる請求項１から１２のいずれか一項に記載のモジュール。
【請求項１４】
前記各光源（４）が２つの対向する縁を有し、前記光源の全ての対向する縁が互いに平行である請求項１から１３のいずれか一項に記載のモジュール。
【請求項１５】
前記縁が光軸と平行である請求項１４に記載のモジュール。
【請求項１６】
前記光源（４）が互いに対して個別に制御され得るように配置される請求項１から１５のいずれか一項に記載のモジュール。
【請求項１７】
前記光源から前記レンズへの光の直接的な伝送に対する障害を形成するスクリーン（６）を備える請求項１から１６のいずれか一項に記載のモジュール。
【請求項１８】
請求項１から１７のいずれか一項に記載の少なくとも１つのモジュール（２）を備える、好ましくは複数の前記モジュールを備える自動車ヘッドライト。
【発明の詳細な説明】
【技術分野】
【０００１】
本発明は、自動車用のヘッドライトなどの照明装置に関する。
【背景技術】
【０００２】
ハイビーム照明機能およびロービーム照明機能を自動車に設けることは既知の方法である。前者は、車両の前方の道路の幅全体にわたって照明を供給する。後者は、車両が位置される車線のための照明、および、側方に位置される車線であって車両が反対方向で走行している可能性が高い車線のための減少された照明を供給する。このことは、後者の搭乗者の眼をくらませないことを意味する。しかしながら、ロービーム機能は、その最も一般的な形態では、この隣接する車線を越えて位置される道路の脇のために十分遠い光を与えない。このとき、これは、危険な光源を成す。例えば、この道路脇に立っている歩行者が今にも道路を横切ろうとしている場合には、その歩行者をドライバーが十分早期に気付くことができない。
【０００３】
これを改善するため、車両の前方に位置される光景の特定の部分、特に隣接する車線を越えて位置される道路脇を、大きな距離を隔てて選択的に照らすことができるようにする適応ビーム機能が提案されてきた。この目的のため、観察装置が、光景を解析して、照らされるべき領域を選択する。
【０００４】
このため、特に、この光景を、照明されるようになっている光景の部分にしたがって選択的に照らされる複数の垂直な長方形ストリップへと仮想的に分けることが既知の方法である。（選択的に照らされるべき光景の異なる領域の行列配置により、すなわち、縦列および横列の状態で、同じタイプの作用を実現できる）。また、ストリップの上部ではなく下部において照明を増大させることも望ましい。
【０００５】
この作用を実現できるようにするヘッドライトが欧州特許第２２７８２１７号明細書で与えられる。このヘッドライトは、それぞれのストリップを形成するようになっている複数の隣接するモジュールを備える。各モジュールは、光源と、リフレクタと、ストリップのうちの１つを生成できるようにするレンズとを備える。リフレクタは、それが光源からの光の垂直方向の拡散を確保するとともにストリップの下部がストリップの上部よりも多く照らされるような形状を有する。
【０００６】
しかしながら、ヘッドライトは、所望のストリップを並列させるべく数のモジュールが存在するため、大型である。
【発明の概要】
【発明が解決しようとする課題】
【０００７】
本発明の１つの目的は、この欠点を軽減すること、したがって、車両の前方に見える光景の異なる領域を選択的に照らすことができるようにする装置の体積を減らすことである。
【課題を解決するための手段】
【０００８】
この目的のため、本発明によれば、
−特に曲線に沿って連続的に配置される光源と、
−円筒状のリフレクタと、
−リフレクタから生じる各光源からの光を受けるのに適するレンズとを備える自動車ヘッドライト用の照明モジュールであって、
−リフレクタは、光源のうちの１つによって放射される光から光スポットを形成するように配置され、リフレクタは、円筒の母線に対して直角を成す平面内に、光源の寸法の比率に対して光スポットの寸法の比率を変更するように且つ光源の配光に対して光スポットにおける配光を変更するように構成される断面を有し、
−レンズは、少なくとも２つの焦点、更には１つの焦点域を有するとともに、これらの焦点のうちの１つに配置される物体の前記レンズにより形成される像が鮮明となるように配置される、照明モジュールが提供される。
【０００９】
したがって、光源は、同じリフレクタおよび同じレンズと関連付けられる。そのため、装置の体積がかなり減少される。
【００１０】
光源は、本明細書中では、ＬＥＤなどの部材の発光面であるとして規定される。
【００１１】
鮮明さに関して、レンズは、その焦点のうちの１つに配置される物体の前記レンズにより形成される像がその全長にわたって鮮明な輪郭を有するように配置される。鮮明な輪郭は以下のように規定される。
【００１２】
Ｉ（ｈ，ｖ）は、２つの角度ｈ，ｖに応じた強度であるとする（例えば、ｌｏｇ（２５ｍでのスクリーン上の照明）に等しい）。
【００１３】
このとき、コントラストは｜｜ｇｒａｄ（Ｉ）｜｜に等しい。
【００１４】
輪郭は、各点でコントラストが所定の閾値（欧州規格によれば例えば０．１３）よりも大きい場合に鮮明であると言われる。
【００１５】
特に、リフレクタが、円筒の母線に対して直角を成す平面内に、リフレクタによって各光源の像の寸法を増大させるように且つレンズにより投影される各光源の像の上半分における光束の平均値が像の下半分における光束の平均値よりも小さいように構成される断面を有するようにすることができる。
【００１６】
したがって、供給される光パワーは、スポットの上部におけるよりも下部において大きい。
【００１７】
リフレクタは、好ましくはたった１つの変曲点を有する湾曲断面を有することが好ましい。
【００１８】
そのような形状は、垂直方向でスポットのそれぞれにおいて光の良好な分配を得るのに有利に作用する。
【００１９】
レンズは、該レンズによって供給される光源の全体像の鮮明さがこの像の少なくとも２つの所定の点で像の他の領域と比べて最大となるように配置されるのが好ましい。
【００２０】
そのため、レンズは、生み出される照明が過度の光パワーに対応する不連続性またはホットスポットを何ら与えないようにするため、複数の光源を考慮に入れるように、したがって、スポットの垂直縁で良好な鮮明さを得るように光学的に最適化される。したがって、装置は、車両のドライバーにとって快適で且つ車両の前方に位置される光景の取り得る最良の認識をドライバーに対して与える照明をもたらす。
【００２１】
１つの実施形態では、前記点が２つの光源の像の縁に位置され、これらの像が１つの同じ光源の像に直接に隣接し、これらの縁がその像と並んで位置される。
【００２２】
他の実施形態では、前記点が２つの光源の像の縁に位置され、これらの像が互いに直接に隣接し、各像の縁が他の像と対向する側に位置される。
【００２３】
これらの２つの実施形態のそれぞれは、レンズを最適化することおよび満足な照明を得ることに関して良好なトレードオフを示す。
【００２４】
好適には、レンズの面が波形を有する。
【００２５】
この特徴により、スポットの水平な上縁を僅かにぼかして、スポットと一般に夜間の環境との間に過度に鋭い光強度破壊を有することを回避でき、それにより、ドライバーの快適さおよび認定が向上する。
【００２６】
好適には、波形を有するレンズの面は、光源からの光のための出力面である。
【００２７】
光源による光の放射の主方向に対して直角を成す平面内に各光源が正方形形状を有するようにすることができる。
【００２８】
そのような光源は、特にそれらが発光ダイオードから成るときに、長方形形状の光源の原価よりも低い原価を有し、それにより、それらの光源の使用が有利になる。また、本発明に係るモジュールは、正方形光源から垂直方向で大きな広がりを得ることができるようにする。
【００２９】
モジュールは、以下の特徴のうちの少なくともいずれか１つを与えることもできる。すなわち、
−光源は、全ての光源を通る、特に各光源の縁のうちの１つを通る直線が存在するように配置される、
−光源は、各光源の輪郭の頂点のうちの１つを通る曲線が存在するように配置される、
−光源は、各光源の中心を通る曲線が存在するように配置される、
−曲線が変曲点を有さない、
−光源の輪郭が１つの同じ平面内に含まれる、
−各光源が２つの対向する縁を有し、光源の全ての対向する縁が互いに平行である、
−縁が光軸と平行である。
【００３０】
好適には、モジュールは、光源が互いに対して個別に制御され得るように配置される。
【００３１】
好適には、モジュールは、光源からレンズへの光の直接的な伝送に対する障害を形成するスクリーンを備える。
【００３２】
さもなければ、レンズへ直接に伝送されるこの光は、実際には、ストリップ状の疑似光線を形成する。
【００３３】
本発明によれば、本発明に係る少なくとも１つのモジュールを備える、好ましくは複数の前記モジュールを備える自動車ヘッドライトも提供される。
【００３４】
このヘッドライトは、信号装置を構成することもできる。
【００３５】
本発明に係る他の対象は、本発明に係る少なくとも１つの照明モジュールまたは装置を備える自動車である。
【００３６】
ここで、以下、添付図面を参照して、本発明の一実施形態について説明する。
【図面の簡単な説明】
【００３７】
【図１】図１は、本発明に係るモジュールの概略斜視図である。
【図２】図２は、図１のモジュールにおける光の経路を示す。
【図３】図３は、図１のモジュールのリフレクタの断面の形状を示す。
【図４】図４は、図１のモジュールのリフレクタを計算する際に使用される特定の量を表す。
【図５】図５は、図１のモジュールのリフレクタを計算する際に使用される特定の量を表す。
【図６】図６は、リフレクタのそれぞれの点によって戻される正規化された照明の傾向を、車両の軸と平行な軸に沿うその点の座標の関数として示す曲線である。
【図７】図７は、直線断面を有するリフレクタに対するリフレクタの点の位置の微分垂直オフセットを、この点により戻される照明の関数として表す曲線である。
【図８】図８は、２つのそれぞれの実施形態における、リフレクタにより生成されて図１のモジュール内のレンズの光学的最適化のために使用される光源の像の２つの図である。
【図９】図９は、２つのそれぞれの実施形態における、リフレクタにより生成されて図１のモジュール内のレンズの光学的最適化のために使用される光源の像の２つの図である。
【図１０】図１０は、図１のモジュールにより生成される光ストリップを、それらが道路上の車両の前方に配置されるスクリーン上に現れるように示す。
【発明を実施するための形態】
【００３８】
図１〜図３は、本発明に係る自動車ヘッドライト用の照明モジュール２を示す。
【００３９】
モジュール２は、光源４、カバーまたはスクリーン６、ミラーまたはリフレクタ８、および、レンズ１０を備える。
【００４０】
以下では、図１に示される直交基準座標系ＸＹＺが使用され、この場合、水平軸Ｘ，Ｙはそれぞれ、直角を成すとともに、車両の走行方向と平行であり、また、軸Ｚは垂直である。
【００４１】
光源４は、この場合、発光ダイオードの形態を成して形成される。これらの光源は、それらの光軸が垂直の状態で上方へ向けられる照明をもたらすように配置される。これらの光源は、この光軸に対して直角を成す平面内で見たときに正方形形状を有する。各光源は、平坦なときには、例えば１ｍｍ２に等しい表面積を有する。光源は、軸Ｘに対して平行な方向で一列に並べられる。光源は、例えば、全ての光源に共通のプリント回路１２によって支持される。任意の数の光源が存在し得る。数は、３つ以上であって、可能な限り多く、各光源は、照明を形成するストリップのうちの１つをもたらす。
【００４２】
したがって、全ての光源を通過する、特に各光源の縁のうちの１つを通過する直線が存在するように光源が配置されるのが分かる。光源の輪郭は、１つの同じ平面内に含まれる。各光源は２つの対向する縁を有し、また、全ての光源の対向する縁は互いに平行である。縁は光軸と平行である。
【００４３】
スクリーン６は、光源からの光がレンズ１０に直接に到達しないように配置される。
【００４４】
レンズは後面１４および前面１６を有し、これらの面は、光源からの光の経路に関連して車両の走行方向でこのように名付けられる。図２に示されるように、各光源４からの光の少なくとも一部は、リフレクタ８によって面１４へ向けて反射された後、互いに対しておよび軸Ｙに対して平行な光線の形態を成して面１６を通じてレンズから出る。
【００４５】
図１０は、車両の前方の道路２２を横切る軸Ｘ，Ｚと平行な平面内に配置される垂直スクリーン上にモジュールにより形成される全体像２０を示す。この全体像は、光源４が存在する数と同じ数の垂直な長方形のストリップ２４へと分割される。各ストリップの高さは、ストリップの幅よりも大きい。ストリップは、それらの垂直縁同士が隣り合って並ぶ。ストリップの一部は、道路全体、この場合には道路の２つの車線を照らすように車両の前方で延び、また、他のストリップは、道路の脇を照らすように、先の車線を越えて軸Ｘの方向に延びる。
【００４６】
この例では、ストリップ２４が互いに同一である。しかしながら、これらのストリップの幅および／またはこれらのストリップの長さを異ならせるようにすることができる。同様に、ここでは、ストリップの上下の水平な縁がそれぞれ一致する。しかしながら、これは必須ではない。また、ここでは、ストリップの単一の水平な列が与えられる。しかしながら、モジュールは、上下に延びるストリップの少なくとも２つの水平な列を形成することができる。
【００４７】
光源からの光に晒されるリフレクタ８の面は円筒状であり、円筒の母線は軸Ｘと平行である。これらの母線は、図３に表される軸Ｙ，Ｚと平行な平面内に、母線が基づく断面を有する。
【００４８】
レンズ１０が全ての光源４から生じる光を受けるため、レンズは、光源の像を形成するストリップ２４が可能な限り鮮明な垂直縁を有するように光学的に最適化される。この最適化を達成する方法については後に分かる。
【００４９】
また、レンズが全ての光源に共通であり、これらの光源が好ましくは小さい寸法を有することを知って、リフレクタ８をアナモルフィックレンズの形態で形成しても、良好な結果を簡単に得ることはできない。これは、ここでは、リフレクタが満足な或いは更には最適な結果を与えるように、リフレクタの形状を計算することが選択されるからである。特に、図３に示されるリフレクタの断面形状は、直線セグメントおよび円錐セグメントとは異なる。
【００５０】
この形状は、多くの機能を果たすように計算される。
【００５１】
第１の機能は、リフレクタが正方形の光源から長方形の像２４を形成するように各光源４の像の垂直方向の広がりを生み出すことである。
【００５２】
第２の機能は、ストリップ２４の下部に上部よりも大きい光パワーを与えるように光源から生じる光パワーを分配することにある。より具体的には、単位表面積当たりのストリップにおける光パワーがストリップの下縁から大きく離れて位置されるほど低くなるようにするべく努力がなされる。
【００５３】
リフレクタの断面の形状を計算するために、第１のステップは、リフレクタのそれぞれの点によって戻される正規化された照明の傾向を、車両の軸と平行な軸に沿うその点の座標の関数として決定することである。
【００５４】
開始点は、図３に示される軸Ｙ，Ｚに対して４５°に方向付けられる軸Ｘと平行な直線状の断面である。この断面と一直線を成して位置される単一の光源４が考慮される。軸Ｙは光源の平面を通り抜け、また、軸Ｚは光源の前端を通り、したがって、この前端が基準座標系の原点Ｏを形成する。図４を参照すると、断面のそれぞれの点で、フラックスδΦ＝Ｉ．δΩが計算される。この場合、
−Ｉは、考慮されるリフレクタの点の方向で光源により放射される強度、および、
−δΩは、考慮される点から光源が見られる無限小立体角である。
【００５５】
δΦの値は、最低から最高まで、アフィン変換により０〜１まで減少される。
【００５６】
この計算を行うために、以下の方法が実施される。
【００５７】
図５を参照すると、
−Ｅｒは、リフレクタの点（０，ｙｒ，ｚｒ）における光源により生み出される照明である。これは、リフレクタの面素ごとのフラックスである。
−Ｅｓは、ランバートであると仮定される光源のエミッタンスであり、
−αは、光源の現在の点とリフレクタの考慮される点とを通る直線によって軸Ｚに対して形成される角度であり、
−θは、この点でこの直線とリフレクタの法線とにより形成される角度であり、
−ｒは、光源の現在の点からリフレクタ上の考慮される点までの距離であり、
−ｈは、軸Ｘ上の光源の幅を示し、
−Ｌｓは、軸Ｙ上の光源の長さであり、
−ｘｓおよびｙｓは、光源の現在の点の座標であり、
−ｄｚ（Ｅｒ）は、リフレクタの点によって反射される光源の像に対して軸Ｚの方向で与えられるようになっているオフセットを示す。
【００５８】
したがって、以下のように書き表すことができる。
【数１】
2014096368.tif 000003
積分が光源に関してとられる。すなわち、
【数２】
2014096368.tif 000004
積分が
【数３】
2014096368.tif 000005
に関してとられる。
【００５９】
また、
【数４】
2014096368.tif 000006
この場合、ｎｙおよびｎｚは、考慮される点でのリフレクタに対して垂直な単位ベクトルのゼロ以外の座標である。
【００６０】
それにより、以下となる。
【数５】
2014096368.tif 000007
【００６１】
平坦なリフレクタの場合、リフレクタの任意の点で形成される虚像は同じサイズを有し、したがって、Ｅｒは点（０，ｙｒ，ｚｒ）の虚像のエミッタンスである。
【００６２】
なお、ｙｒ＝ｆｙ（ｕ）およびｚｒ＝ｆｚ（ｕ）である場合には、
【数６】
2014096368.tif 000008
であり、
また、４５°の平坦なリフレクタの場合には、ｆｙ＝ｕ＋ｙ０およびｆｚ＝ｕ＋ｚ０である。ｙ０およびｚ０は、定数であり、リフレクタの１つの点の座標である。
【００６３】
点（ｙ０，ｚ０）を通る４５°の平面に対する基準座標系の原点の対称点は、（ｙ０−ｚ０，ｙ０＋ｚ０）点に位置される。虚像の上端（したがって、投影像の下端）がこの点を通る。したがって、この点から、ｄｚ（Ｅｒ）が軸−Ｚ上で測定される。
【００６４】
ｆｙ（ｕ）＝ｕとして、リフレクタの点（ｘｒ，ｙｒ）を考慮すると、
それにより、以下が適用される。すなわち、
【数７】
2014096368.tif 000009
【００６５】
2014096368.tif 000010
がＯから生じる考慮される点での入射光線であるとすると、
【数８】
2014096368.tif 000011
【００６６】
反射光線の方向は、
【数９】
2014096368.tif 000012
【００６７】
仮想光線は、点Ｉにおいて４５°のリフレクタの虚像の平面に直面し、その場合、
【数１０】
2014096368.tif 000013
となり、また、
λｒ−λｒｙ＝ｕ−λｒｙ＝ｙ０−ｚ０となり、
それにより、
【数１１】
2014096368.tif 000014
となる。
【００６８】
また、以下の場合には、リフレクタが望み通りに像をシフトさせる。
【数１２】
2014096368.tif 000015
【００６９】
これは、ｕ，ｆｚおよびｆ’ｚに関する方程式である。ｆｚに関するこの微分方程式は、ｆｚ（ｙ０）＝ｚ０を初期条件として用いるとともに、ｙ０，ｚ０およびｄｚＥｒをパラメータとして用いて、数値的に解くことができる。
【００７０】
以上から、図６は、光源によりもたらされる照明Ｅｒの傾向を、リフレクタの考慮される点の軸Ｙに沿う座標の関数として示している。
【００７１】
この場合、光源に対応するストリップにおいて、目的は、リフレクタの異なる部分によりもたらされる光源の像を、それらの部分が伝える光束に応じてシフトさせることである。より具体的には、目的は、低い光強度を伝える像を上げるとともに、強い強度を伝える像を下げることである。このため、この場合、照明の値に応じてリフレクタによりもたらされる光源の像に与えられるべき垂直方向のオフセットｄｚが任意に決定される。図７は、このオフセットｄｚに関して適用されるべくここで選択される傾向を照明Ｅｒの値の関数として示している。
【００７２】
このとき、リフレクタの考慮されるそれぞれの点で、リフレクタの法線が所望のオフセットをもたらすために有するべき方向が計算される。この方向がリフレクタの全ての点に関して決定されると、４５°で方向付けられる平坦なリフレクタに共通のリフレクタの下縁から始めるという基準に基づいて、各点の位置が決定される。したがって、リフレクタを段階的に構成することができる。方向のこの計算およびこの構成は、コンピュータプログラムによって困難を伴わずに行うことができる。
【００７３】
得られる断面は、図３に示される形状を有する。断面は、リフレクタの下側４分の１に位置される変曲点Ｉを有しつつ十分に湾曲される。この点よりも下側において、リフレクタの曲率中心は、この点よりも上側で適用されるのとは異なり、リフレクタの前方に位置される。
【００７４】
したがって、歪像を伴うことなく、光源からのビームの垂直な拡散がもたらされる。また、レンズによって投影される各光源の像２４の上半分における光束の平均値は、像の下半分における光束の平均値よりも小さい。
【００７５】
更に、レンズ１０は、不利な収差を最小にするためにその２つのジオプターが最適化される。このため、レンズの光軸に最も近い２つ或いは３つのＬＥＤが考慮に入れられる。図８および図９は、この最適化の２つの実施を示す。これらの図は、リフレクタによって反射される際の光源の像２６を示す。これらの像は、最大寸法が垂直方向で測定される一列に並べられたストリップである。ストリップは隣接していない。
【００７６】
図８において、奇数の光源が存在するときに特に適用できる実施形態では、軸Ｙと平行なレンズの光軸２８が、配列の中心に位置される光源の像２６ａの垂直な対称面を通るようにされる。２つの隣り合う光源の像２６ｂ，２６ｃが中心像２６ａに最も近い。レンズは、最大の鮮明さの利益を享受するべく、以下の２つの縁、すなわち、像２６ａに最も近い像２６ｃの垂直縁３０、および、像２６ａに最も近い像２６ｂの垂直縁３０に関して最適化される。したがって、この場合、レンズは、側方の像２６ｂ，２６ｃの像の光軸に最も近い垂直縁の鮮明さに有利に作用するように最適化される。中心像２６ａの縁の像は、像２６ｂ，２６ｃの像の外側縁においてそうであるように、少しぼやけている。このとき、３つのかなり鮮明なストリップを得ることができるが、以下で説明される図９の場合には、ストリップが更に劣った鮮明さを有する。本実施形態は、車両ヘッドライトが本発明にしたがって設計されるときに左右の車両ヘッドライトからのビームの大きな重なりを有することが目的である場合に適用される。
【００７７】
図９は他の実施形態を示す。レンズの光軸２８は、画像２６のうちの２つの間で、配列の中心に位置される隙間３２の垂直な対称面を通る。したがって、それらは互いに隣り合う２つの像である。レンズは、最大の鮮明さの利益を享受するために隙間から最も遠く離れるこれらの２つの像２６のそれぞれの縁３５に関して最適化される。このケースは、モジュールからのビームが車両の内部へ向けて弱く延びるときに適用できる。この場合には、光軸に最も近い像の縁の像が少しぼやける。このケースは、２つの非常に鮮明なストリップを得ることができるようにするとともに、車両ヘッドライトが本発明にしたがって設計されるときに左右の車両ヘッドライトからのビームの弱い重なりを得ることが目的である場合に適用される。
【００７８】
本発明に係るモジュールは、特に、適切に鮮明な垂直縁を有するストリップを得ることができるようにする。本発明に係るモジュールは、画像２０上のストリップ２４間に黒色ストリップを呈さないビームをもたらすことができるようにする。したがって、審美的に良くない櫛効果が回避される。
【００７９】
この場合には、レンズの出力面１６が数ミクロンの深さを伴う波形を有するようにする。これらの波形は、ストリップとその環境との間のその垂直端での光移行が可能な限り緩やかとなるように各ストリップの小さい上辺および下辺を僅かにぼかせるという効果を有する。
【００８０】
光源は、各光ストリップの互いに対して個別な生成をモジュールに適した制御手段によって制御できるように扱われ得る。
【００８１】
例えば、レンズとリフレクタとの間の軸Ｙに沿って測定される最大全長が約４０ｍｍとなるようにすることができる。
【００８２】
このモジュールが、場合によりそれ自体で或いは１つ以上の他の装置に加えて、ハイビーム機能および／またはロービーム機能も確保するようにし得る。
【００８３】
そのようなモジュールを備えるヘッドライトには、１つ以上の信号灯を設けることもできる。
【００８４】
無論、本発明の枠組みから逸脱することなく、本発明に対して多くの変更を成すことができる。
【００８５】
特に、ストリップの下部で相補的なビームが重ね合わされることにより緩やかな移行を確保するため、特に、低い光強度を有する光源の像の一部がストリップの下端付近に伝えられるようにすることができる。
【図１】
2014096368.tif 000016
【図２】
2014096368.tif 000017
【図３】
2014096368.tif 000018
【図４】
2014096368.tif 000019
【図５】
2014096368.tif 000020
【図６】
2014096368.tif 000021
【図７】
2014096368.tif 000022
【図８】
2014096368.tif 000023
【図９】
2014096368.tif 000024
【図１０】
2014096368.tif 000025
【外国語明細書】
2014096368000001.pdf